(57)【特許請求の範囲】
【請求項１】
浴槽フランジ部を有する浴槽と洗い場フランジ部を有する洗い場用防水パンとフレーム内に作業用開口部を有する立装連結フレームとの主要三部品ならびに浴槽遮蔽板部とからなること、および、浴槽とこれの一側に配置された洗い場用防水パンとの関係において相対的に高位の位置にある浴槽フランジ部一側と相対的に低位の位置にある洗い場フランジ部一側とが上下に対応していること、および、上下に対応した浴槽フランジ部一側と洗い場フランジ部一側とにわたって立装連結フレームが連結されていること、および、洗い場用防水パン側から立装連結フレームの作業用開口部に配置された浴槽遮蔽板部が上記主要三部品のうちの何れかの一部品以上に着脱自在なるよう装備されていることを特徴とする洗い場付きユニットバス。
【請求項２】
浴槽に壁パネル立設用フランジ部が立設されている請求項１記載の洗い場付きユニットバス。
【請求項３】
立装連結フレームに着脱して作業用開口部を開閉するための開口部用閉蓋により浴槽遮蔽板部が形成されている請求項１または請求項２記載の洗い場付きユニットバス。
【請求項４】
四角形枠からなるもの、四角形枠に作業用開口部を縦割りに区分するための骨材が着脱自在に跨設されてなるもの、作業用開口部が開設された枠板部とその両側端から洗い場用防水パン側に向けて曲設された両側板部とからなるもの、これらのうちのいずれかで立装連結フレームが平面視コ字状に形成されている請求項１または請求項２記載の洗い場付きユニットバス。
【発明の詳細な説明】
【０００１】
【発明の属する技術分野】
本発明はユニットルームに組み込んだ浴槽とか防水パン等の構成部品を適切に連設することで得られる洗い場付きユニットバスに関する。
【０００２】
【従来の技術】
既知の通りユニットルームに施工されるユニットバスとしては、洗い場用防水パンとか浴槽などを、すべて一体に成形したものが採択されて来たが、近年、かかる製品は新築マンションの場合はよいとしても、特にリフォームに際しては搬入スペースや施工スペースに基づく可成りの制約が派生することから、上記のような一体型であるユニットバスの施工には、可成り難渋が伴うこととなる。このような難点を解消するため、既に図１１の第１従来例である二分割式ユニットバスＡと、図１２の第２従来例である床ハーフ分割式ユニットバスＢと呼ばれるものが提示されている。
【０００３】
上記の防水パン二分割式ユニットバスＡは、図示の通り前掲一体型ユニットバスの防水パンを二分して、浴槽用防水パンａ１と洗い場用防水パンａ２に分割したもので、これに浴槽ａ３とエプロンａ４の二構成部品を加えた計四部品により構成されている。そしてもちろん上記のエプロンａ４は、浴槽フランジ部ａ５と、洗い場用防水パンフランジ部ａ６および浴槽用防水パンフランジ部ａ７との間にあって挟装連結されることで、着脱自在に立設されている。
【０００４】
上記の構成の第１従来例は、エプロンａ４を取り外すことにより浴槽ａ３側が露呈状態になるから、浴槽ａ３側における各種の点検、修理等が随時容易に作業性よく実施し得ることとなる。この従来例の利点としては、さらに、四構成部品である浴槽ａ３、エプロンａ４、浴槽用防水パンａ１、洗い場用防水パンａ２の夫々について、好みの異種である色選定を採択するといったことも可能となって、その色彩的な商品価値を向上できることになる。その反面、この二分割式ユニットバスＡは、上記の如く構成部品点数が多いため、どうしても金型費とか各種の材料費が嵩むことになり、この結果、製造コスト高になってしまう欠陥を回避することができない。
【０００５】
床ハーフ分割式ユニットバスＢでは、図１２に例示の通り前記の二分割式ユニットバスＡにおける洗い場用防水パンａ２に相当する部品をなくし、壁を立設することのできるフランジ付き浴槽ｂ１と、側面Ｌ字状であるエプロン付き洗い場用防水パンｂ２との二構成部品だけで、ユニットバスを組み立てるようにしている。上記のエプロン付き洗い場用防水パンｂ２は、洗い場用防水パン部ｂ３と、その一側から一体に立設されたエプロン板部ｂ４とにより一体に形成されていると共に、作業用小口ｂ５、ｂ５がエプロン板部ｂ４に開設されている。これらは開閉用小蓋ｂ６、ｂ６によって着脱自在に開成できるように構成されている。さらにフランジ付き浴槽ｂ１とエプロン付き洗い場用防水パンｂ２とはフランジ付き浴槽ｂ１の一側にあるフランジ部ｂ７とエプロン板部ｂ４の上端縁ｂ８とを適宜の手段で連結することで床ハーフ分割式ユニットバスＢが構成される。
【０００６】
第２従来例は上記の構成を有するから、第１従来例に比し構成部品がフランジ付き浴槽ｂ１とエプロン付き洗い場用防水パンｂ２の二部品だけで事が足りることになり施工性が改善される。しかし当該二部品としては特殊な形態が要求されるから、第１従来例を含め他タイプの構成部品をそのまま流用することができない。この結果、どうしても二部品共に新規な金型が必要となり、かなりの投資を強いられる。さらに前記の通りエプロン付き洗い場用防水パンｂ２と一体成形のエプロン板部ｂ４に作業用小口ｂ５を開設し、これを開閉用小蓋ｂ６で閉成しているため、開蓋状態としても作業用小口ｂ５からの点検、修理等における作業性が悪く、また二部品による構成であるため色選択が二色に限定され、色彩的な商品価値の向上という点で満足度の低いものとなっている。
【０００７】
【発明が解決しようとする課題】
本発明の洗い場付きユニットバスは上記両従来技術の欠陥に鑑み、浴槽と洗い場用防水パンとを簡易部品の立装連結フレームで連結し、当該立装連結フレームの大きな作業用開口が開閉できる浴槽遮蔽板部を装備させるようにしている。かくて本発明は第１従来例の二分割式ユニットバスＡに比して主要構成部品数が削減される。本発明はさらに、第２従来例の如きエプロン付き洗い場用防水パンｂ２でなく、これを二分割したことで既存部品としての洗い場用防水パンａ２等をそのまま活用できるようにして金型コストの削減をはかり、第１従来例における浴槽用防水パンａ１をも不要として、製品のコスト削減を実現するものである。
【０００８】
本発明は、また、第２従来例である床ハーフ分割式ユニットバスＢに比し、Ｌ字状に一体形成したエプロン付き洗い場用防水パンｂ２ではなく、前記の如く安価に製作できる立装連結フレームを用いて浴槽と洗い場用防水パンを連結するようにし、これにより安価な製作を可能にするだけでなく、その施工性をも改善しようとしている。しかも浴槽遮蔽板部を着脱自在とすることで、立装連結フレームの作業用開口部を大きく開口できるようにし、これにより浴槽側における点検、メンテナンス等の作業性を第２従来例に比し大幅に向上し、かつ前説した多色選択性の確保をも可能にしようとするのが第２の目的である。
【０００９】
本発明にあっては上記に加えて、浴槽として壁パネル立設用フランジ部の具備されているものを採択するようにしている。当該付加構成はもちろん第２従来例の浴槽にあっても既知であるが、これで前記の目的を達成するだけでなく、前記の立装連結フレームを用いる場合に、これと浴槽との連結強度をより充分に保持できるようにしている。
【００１０】
本発明はさらに、浴槽遮蔽板部については、立装連結フレームに取着する作業用開口部開閉用の開口部用閉蓋だけで形成して、前記の目的を少ない部品点数で達成しようとしている。
【００１１】
本発明はこのほか、立装連結フレームの形態が、四角形枠とか、これに作業用開口部を区分する着脱自在な骨材を付加したり、平面視コ字状に形成してもよいことを明示し、これらの形態を適宜採択して浴槽遮蔽板部の増強をはかり、上記の目的をより高い信頼性をもって達成するようにしている。
【００１２】
【課題を解決するための手段】
本発明の請求項１に係る洗い場付きユニットバスは、所期の目的を達成するために下記の課題解決手段を特徴とする。すなわち請求項１記載の洗い場付きユニットバスは、浴槽フランジ部を有する浴槽と洗い場フランジ部を有する洗い場用防水パンとフレーム内に作業用開口部を有する立装連結フレームとの主要三部品ならびに浴槽遮蔽板部とからなること、および、浴槽とこれの一側に配置された洗い場用防水パンとの関係において相対的に高位の位置にある浴槽フランジ部の一側と相対的に低位の位置にある洗い場フランジ部の一側とが上下に対応していること、および、上下に対応した浴槽フランジ部一側と洗い場フランジ部一側とにわたって立装連結フレームが連結されていること、および、洗い場用防水パン側から立装連結フレームの作業用開口部に配置された浴槽遮蔽板部が上記主要三部品のうちの何れかの一部品以上に着脱自在なるよう装備されていることを特徴とする。
【００１３】
本発明の請求項２に係る洗い場付きユニットバスは、請求項１記載のものにおいて、所期の目的を達成するために下記の課題解決手段を特徴とする。すなわち請求項１記載の洗い場付きユニットバスは、浴槽に壁パネル立設用フランジ部が立設されていることを特徴とする。
【００１４】
本発明の請求項３に係る洗い場付きユニットバスは、請求項１または２記載のものにおいて、立装連結フレームに着脱して作業用開口部を開閉するための開口部用閉蓋により浴槽遮蔽板部が形成されていることを特徴とする。
【００１５】
本発明の請求項４に係る洗い場付きユニットバスは、請求項１または２記載のものにおいて、四角形枠からなるもの、四角形枠に作業用開口部を縦割りに区分するための骨材が着脱自在に跨設されてなるもの、作業用開口部が開設された枠板部とその両側端から洗い場用防水パン側に向けて曲設された両側板部とからなるもの、これらのうちのいずれかで立装連結フレームが平面視コ字状に形成されていることを特徴とする。
【００１６】
【発明の実施の形態】
本発明に係る洗い場付きユニットバスの実施形態について、添付の図面を参照して以下に説明する。
【００１７】
図１に例示された洗い場付きユニットバスは、浴槽１と洗い場用防水パン２、これらに比し小形かつ軽量なる立装連結フレーム３、および、浴槽遮蔽板部４によって構成されているものである。この場合、浴槽１とこれの一側に配置された洗い場用防水パン２との関係では、相対的に高位の位置にある浴槽フランジ部一側１ａと相対的に低位の位置にある洗い場フランジ部一側２ａとが上下に対応している。立装連結フレーム３は図１（Ｂ）のように、浴槽１の浴槽フランジ部一側１ａと、洗い場用防水パン２の洗い場フランジ部一側２ａとの間にあってこれらに連結されることで立設状態が保持されている。さらに浴槽遮蔽板部４は、立装連結フレーム３内に大きく開口された作業用開口部３ａの洗い場用防水パン２側にあって、これに着脱自在なるよう装備されている。浴槽遮蔽板部４を装備する箇所としては、もちろん後に詳記するように浴槽１、洗い場用防水パン２、立装連結フレーム３の何れか一部品または二部品、さらには、三部品を対象として選定することが可能である。
【００１８】
図１（Ｂ）に例示のものでは、浴槽遮蔽板部４が矩形状立装連結フレーム３の洗い場用防水パン２側における外周側面３ｂに対し、ビス止めや嵌着、係止等の適宜手段によって着脱自在なるよう固定されている。従ってこれによるときは、従来より使用されている洗い場用防水パン２として既製品をそのまま活用することができ、また、小形かつ軽量な枠状に形成の立装連結フレーム３は簡易迅速に組み込み固定することが可能となり、立装連結フレーム３に開口の作業用開口部３ａは、浴槽遮蔽板部４により閉成自在となるから、通常は浴槽１が直視できない状態に遮蔽されることで、良好な外観を保証することができる。立装連結フレーム３の素材としては合成樹脂、鋼製など、浴槽１や湯水さらに入浴者等による荷重に充分耐え得る強度のものであればよく、また浴槽遮蔽板部４にはステンレス板が望ましいが、合成樹脂製、金属製のもの等を用いることもできる。かかる実施形態によるときは、浴槽遮蔽板部４を適時取り外すことにより、立装連結フレーム３の作業用開口部４を大きく開口することができ、このため浴槽１側における点検、配管等の連結修理といった各種の作業を迅速かつ容易に行うことができる。
【００１９】
浴槽１についていえば、壁パネル立設用フランジ部１ｂの付設されたものを用いることができる。これについて図１に例示のものは、浴槽フランジ部一側１ａ以外の３方側端から、壁パネル立設用フランジ部１ｂが立設されている。このような壁パネル立設用フランジ部１ｂ付きの浴槽は既知であるが、本発明のように矩形状等に形成された立装連結フレーム３を構成部品として採択した洗い場付きユニットバスにあっては、その全体としての強度が浴槽１の壁パネル立設用フランジ部１ｂの立設により増強され、耐久性が向上することになる。
【００２０】
図１〜図９とくに図１（Ｂ）・図２を参照して明らかなように、浴槽遮蔽板部４は立装連結フレーム３に対して着脱自在である。この浴槽遮蔽板部４は作業用開口部３ａを開閉自在とした開口部用閉蓋４Ａのみによって形成されている。立装連結フレーム３の立設構成と開口部用閉蓋４Ａの取着構成について、その具体的一例を図１（Ｂ）で説明すると、当該洗い場付きユニットバスとしての一般的な施工手順としては、洗い場用防水パン２、浴槽１の設置後に、立装連結フレーム３を洗い場用防水パン２の洗い場フランジ部一側２ａに対して気密材５ａを介し、かつ、浴槽フランジ部一側１ａの裏側に突設されたボス６に対して気密材５ｂを介することにより挟装することになる。さらに当該実施態様にあっては、立装連結フレーム３を夫々ビス７ａによって洗い場フランジ部一側２ａに、そしてボス６にボルト７ｂを用いて締着固定するようにしている。
【００２１】
図示例で浴槽遮蔽板部４は、立装連結フレーム３の外周側面３ｂに気密材５ｃを介在して押当し、複数の小ビス７ｃで固定することにより、立装連結フレーム３の作業用開口部３ａを閉じている。図３は上記で理解される通り、立装連結フレーム３と浴槽遮蔽板部４としての開口部用閉蓋４Ａを示した斜視図である。同図にあっては立装連結フレーム３の外周側面３ｂにおける作業用開口部３ａの内周縁３ｃに沿って、気密材５ｃが施されており、開口部用閉蓋４Ａには、前記の小ビス７ｃが挿通される取着用孔４ａが所要復数だけ開口されている。
【００２２】
図４には開口部用閉蓋４Ａが示されている。この開口部用閉蓋４Ａに対しては、図３とは異なり気密材５ｃを配設するようにしてある。このため、同図（Ｂ）に明示の如く開口部用閉蓋４Ａの内側外周面にあって嵌詰用周溝４ｂを周設し、これに気密材５ｃを突出状態となるよう嵌合させるようにしている。図５（Ａ）のものには、図１（Ｂ）で説明した内容のものに位置決め用サイド板８が付加されている。すなわち洗い場用防水パン２の洗い場フランジ部一側２ａから上向きに曲設した立設板部２ｂと立装連結フレーム３との間に当該位置決め用サイド板８を挟着させ、これにより立装連結フレーム３が直立状態を確実に保持でき、かつ、強固な連結状態が得られるようにしている。
【００２３】
図５（Ｂ）のものも上記と同じく位置決め用サイド板８が設けられているが、前例と相違する点は、洗い場フランジ部一側２ａに立装連結フレーム３を固着するためアンカーボルト７ｄが用いられ、かつ、立装連結フレーム３に上端を固設し、下端を洗い場用防水パン２の立設板部２ｂに押当することで、位置決め用サイド板８を挟み込むようにしたガイド挟持弾片が付加されていることである。
【００２４】
図６に例示のものは、立装連結フレーム３を前記の通り浴槽フランジ部一側１ａにおけるボス６に、ボルト７ｂ等を用いて固定する場合、当該固定強度をさらに増強するようにした一実施態様である。すなわち、立設連結フレーム３の作業用開口部３ａを開口した内側板部３ｄから外側方へ取着板部３ｅを曲設し、さらにこの取着板部３ｅの外側端からは縦向きにガイド板部３ｆを曲突させておく。そして当該ガイド板部３ｆを、前記のボス６と浴槽フランジ部一側１ａの垂下縁部１ｃとの間からボス６と取着板部３ｅとの間にわたって、気密材５ｄを介在させるようにし、前記のボルト７ｂ等によりボス６に対し取着板部３ｅを固定することで、ガイド板部３ｆが気密材５ｄを介してボス６と垂下縁部１ｃ間に挟着されるようにしてある。
【００２５】
図７の実施態様は前例と異なり、浴槽遮蔽板部４が開口部用閉蓋４Ａのみでなく、これと他の部材とで構成されている。すなわち、開口部用閉蓋４Ａの洗い場用防水パン２側にあって主要三部品（浴槽１、洗い場用防水パン２、立装連結フレーム３）中の何れかの一部品以上に着脱自在に装設されたエプロン４Ｂと開口部用閉蓋４Ａとで浴槽遮蔽板部４が構成されている。エプロン４Ｂ自体は既知の通り、浴槽１における垂下縁部１ｃなどに挟持したり、洗い場用防水パン２に係止したり、当該両者１ｃ、２によって支持するようにしてもよく、さらに立設用連結フレーム３をも選択的に取着箇所として採択するといったことが可能である。
【００２６】
図７の実施態様におけるエプロン４Ｂは、内側にかぎ形に曲成された上位係止部４ｄと下位係止部４ｅとがエプロン本体４ｃの上下に突設されている。上位係止部４ｄの係止縦部４ｆは気密材５ｅを介して立装連結フレーム３と浴槽１の垂下縁部１ｃとの間に装入係止することで、上位係止部４ｄの横向部４ｇが上記垂下縁部１ｃの下端と対向する。下位係止部４ｅに突設された係止突起４ｈは立装連結フレーム３に固設した係止凹所３ｇに係脱自在なるよう係嵌される。下位係止部４ｅの下端横向部４ｉには水抜き口４ｊが貫設されている。
【００２７】
立装連結フレーム３の各種実施態様のうちで図８（Ａ）のものは、既に説明した通りの四角形枠状である。この四角形枠状の立装連結フレーム３は長辺枠材３ｈと短辺枠材３ｉとが長方形状に組み付けられたものである。これについては図８（Ａ）の立装連結フレーム３に図８（Ｂ）の仮想線で示す一対の長辺枠材３ｈ、３ｈ間に一以上の骨材３ｊを着脱自在に跨設し、これで作業用開口部３ａを縦割り状態に区分してもよい。このようにすることで、立装連結フレーム３の強度を大きくすることができる。また、骨材３ｊを適時取り外すことにより、作業用開口部３ａを通じて行う各種の作業に支障が出ない。また、骨材３ｊの着脱機９構としては、係嵌構成とかビス止め等適宜の手段を採択することができる。図６における３ｋは骨材３ｊに相当するもので、それも板状骨材を示している。
【００２８】
図８（Ｃ）の平面図や図８（Ｄ）の斜視図に示した立装連結フレーム３は金属板状材等の加工で平面視コ字状に形成されたものである。すなわちこの立装連結フレーム３は、作業用開口部３ａが開設された枠板部３ｍと、その両側端から直交状に洗い場用防水パン２側に向けて曲設された両側板部３ｎ、３ｎとで形成されている。かくて立装連結フレーム３は図８（Ｂ）の場合と同様に補強され、軽量化もはかられている。
【００２９】
立装連結フレーム３と、（浴槽遮蔽板部４としての）開口部用閉蓋４Ａの他実施態様については図９のとおりである。図９に例示された立装連結フレーム３は、平面視コ字状という点で図８（Ｃ）（Ｄ）のものと同じであるが、立装連結フレーム３の外側下端部において、枠板部３ｍから側板部３ｎにわたり曲設されたコ字状の載置縁面３ｐが突設されている点で図８（Ｃ）（Ｄ）のものと相違する。浴槽遮蔽板部４としての開口部用閉蓋４Ａも立装連結フレーム３と同様、正面平板部４ｋの両端部から側面平板部４ｍ、４ｍが直交状に曲設される。それで開口部用閉蓋４Ａのコ字状の載置縁面３ｐ上には正面平板部４ｋと側面平板部４ｍ、４ｍの下端縁が載置されることになる。かくて立装連結フレーム３内に開口部用閉蓋４Ａが全面的に嵌合係止の状態となるので、取着用孔４ａから小ビス７ｃ等を挿入し、両者３、４Ａを取着状態にして作業用開口部３ａを閉じる。このように構成すれば全体の強度が図８の場合よりもさらに強化され、当該両者を一体化する作業も容易に行うことができる。
【００３０】
図１０に示された実施態様のものも、浴槽１、洗い場用防水パン２、浴槽フランジ部一側１ａと洗い場フランジ部一側２ａとの間に連結された立装連結フレーム３など、これらの主要三部品を具備している（図１０では洗い場用防水パン２が省略されている）。この実施態様では、立装連結フレーム３の洗い場用防水パン２側である外周側面３ｂに着脱自在なるよう取着された作業用小窓１０ａ付き浴槽遮蔽エプロン１０が設けられている。作業用小窓１０ａは浴槽遮蔽エプロン１０に着脱自在なるよう取着した作業用小蓋１０ｂにより開閉自在である。この図示例では作業用小窓１０ａと作業用小蓋１０ｂとが一対だけ設けられている。
【００３１】
図１０の例では浴槽遮蔽エプロン１０に取付用上縁板１０ｃと取付用下縁板１０ｄが突出しており、これらをビス（図示せず）などで立装連結フレーム上下の外周側面３ｂに取着する。作業用小窓１０ａは浴槽遮蔽エプロン１０の突出前面板１０ｅに設けた窓枠凹所１０ｆに開口される。作業用小窓１０ａは作業用小蓋１０ｂを窓枠凹所１０ｆに落とし込んだ状態で、ビス止め等により着脱自在なるよう固定する。
【００３２】
上記の実施態様によるときは、浴槽遮蔽板部４を開口部用閉蓋４Ａとエプロン４Ｂとによって構成する前例に比し部品点数が削減される。それに開口部用閉蓋４Ａだけの場合に比し、浴槽遮蔽エプロン１０なる一部品だけで外観上の商品価値を向上できる。メンテナンス等も、作業用小蓋１０ｂを取り外して作業用小窓１０ｂを開口するだけのことで簡易迅速に対応することができる。大がかりな作業の場合でも浴槽遮蔽エプロン１０を立装連結フレーム３から外して作業用開口部３ａを開口すれば、充分な作業を支障なく実施することが可能となる。また、浴槽遮蔽エプロン１０の形態に凹凸等の適宜な変形を付加すれば充分な強度を保有させることもできる。
【００３３】
【発明の効果】
本発明に係る洗い場付きユニットバスはつぎのような効果を有するものである。
(1) 浴槽、洗い場用防水パン、軽量で小形の立装連結フレーム、作業用開口部開閉用の小形の浴槽遮蔽板部などで洗い場付きユニットが得られるから、従来例の二分割式ユニットバスに比して主要構成部品が半減するとともに浴槽用防水パンも不要になるので、安価な提供が可能になる。床ハーフ分割式ユニットと比較しても既存部品としての洗い場用防水パンをそのまま利用できるので金型コストも削減でき、これによっても製品のコストダウンを実現することができる。
(2) 従来のエプロン付き洗い場用防水パンを用いず、これを立装連結フレームと洗い場用防水パンとに分離して製作したり、浴槽と洗い場用防水パンとの間に立装連結フレームを連結したりする構成だから、施工性を改善することができる。とくに浴槽遮蔽板部を適時外して立装連結フレームの作業用開口部を充分に大きく開口できるので、浴槽側の点検、メンテナンス等における作業性が飛躍的に向上する。
(3) 浴槽が壁パネル立設用フランジ部を具備するものでは、立装連結フレームを用いる浴槽との連結強度が確保でき、より望ましい結果を得ることができる。
(4) 浴槽遮蔽板部が開口部用閉蓋だけで形成されているものでは、少ない部品点数で前記の効果を得ることができる。
(5) 四角形枠とか骨材の付加とかなどで立装連結フレームが平面視コ字状に構成されるものでは、浴槽用遮蔽板部の強度が大きくなり、これに依存して前記の効果がより確実なものになる。
【図面の簡単な説明】
【図１】  本発明洗い場付きユニットバスの一実施態様を示したもので、（Ａ）は構成部品の斜視略図、（Ｂ）は浴槽遮蔽板部近傍箇所における縦断側面図である。
【図２】  図１のユニットバスの浴槽遮蔽板部を除去して示した斜視略図である。
【図３】  本発明洗い場付きユニットバスにおける立装連結フレームと浴槽遮蔽板部たる開口部用閉蓋との取着関連を示した斜視図である。
【図４】  本発明洗い場付きユニットバスにおける開口部用閉蓋の他の実施態様を示したもので、（Ａ）は斜視図、（Ｂ）は拡大縦断正面図である。
【図５】  （Ａ）は図１（Ｂ）のものに位置決め用サイド板を配設した場合の縦断正面図、（Ｂ）はこれにガイド挟持弾片を付加した場合の部分縦断側面図である。
【図６】  本発明洗い場付きユニットバスにおいて立装連結フレームの他の実施態様を示した部分縦断側面図である。
【図７】  本発明において浴槽遮蔽板部を開口部用閉蓋とエプロンとで構成した場合の洗い場付きユニットバスを示した浴槽遮蔽板部近傍箇所における縦断側面図である。
【図８】  本発明洗い場付きユニットバスにおける立装連結フレームの各種実施態様を示したもので、（Ａ）は図１の立装連結フレームの正面図、（Ｂ）はこれに骨材を付加した場合の正面図、（Ｃ）は他の実施態様を示した平面図、（Ｄ）はその斜視図である。
【図９】  本発明洗い場付きユニットバスにおいて図３とは異なる実施態様の立装連結フレームと開口部用閉蓋との取着関連を示した斜視説明図である。
【図１０】  本発明洗い場付きユニットバスにおいて部品分離状態を示した斜視図である。
【図１１】  従来の分割式ユニットバスを示した構成部品の斜視図である。
【図１２】  従来の床ハーフ分割ユニットバスを示した構成部品の斜視図である。
【符号の説明】
１      浴槽
１ａ    浴槽フランジ部一側
１ｂ    壁パネル立設用フランジ部
２      洗い場用防水パン
２ａ    洗い場フランジ部一側
３      立装連結フレーム
３ａ    作業用開口部
３ｂ    外周側面
３ｊ    骨材
３ｍ    枠板部
３ｎ    側板部
４      浴槽遮蔽板部
４Ａ    開口部用閉蓋
４Ｂ    エプロン
１０    浴槽遮蔽エプロン
１０ａ  作業用小窓
１０ｂ  作業用小蓋
【図１】
0003754908.tif 000002
【図２】
0003754908.tif 000003
【図３】
0003754908.tif 000004
【図４】
0003754908.tif 000005
【図５】
0003754908.tif 000006
【図６】
0003754908.tif 000007
【図７】
0003754908.tif 000008
【図８】
0003754908.tif 000009
【図９】
0003754908.tif 000010
【図１０】
0003754908.tif 000011
【図１１】
0003754908.tif 000012
【図１２】
0003754908.tif 000013